(57)【要約】【課題】イートインかテイクアウトかについての登録忘れを防止することができる販売データ処理装置を提供する。【解決手段】販売データ処理装置は、入力受付手段と、販売登録手段と、報知手段と、を備える。入力受付手段は、商品の商品情報および前記商品を飲食する場所を示す飲食場所情報の入力を受付ける。販売登録手段は、前記入力受付手段が受付けた前記商品情報と前記飲食場所情報とを登録する。報知手段は、前記飲食場所情報が登録されていない場合に、前記飲食場所情報が未登録である旨、および、前記飲食場所情報の登録を催促する旨の少なくとも一方を報知する。【選択図】図５
2012146092.tif 000002
【特許請求の範囲】
【請求項１】
商品の商品情報および前記商品を飲食する場所を示す飲食場所情報の入力を受付ける入力受付手段と、
前記入力受付手段が受付けた前記商品情報と前記飲食場所情報とを登録する販売登録手段と、
前記飲食場所情報が登録されていない場合に、前記飲食場所情報が未登録である旨、および、前記飲食場所情報の登録を催促する旨の少なくとも一方を報知する報知手段と、
を備えることを特徴とする販売データ処理装置。
【請求項２】
前記飲食場所情報が登録されている場合に、前記販売登録手段が登録した前記商品情報を印字したレシートを発行するレシート発行手段をさらに備えること、
を特徴とする請求項１に記載の販売データ処理装置。
【請求項３】
前記入力受付手段は、前記飲食場所情報として、前記商品はイートインの対象である旨の入力、または、前記商品はテイクアウトの対象である旨の入力を受付けること、
を特徴とする請求項１または２に記載の販売データ処理装置。
【請求項４】
前記報知手段は、前記飲食場所情報が未登録である旨、および、前記飲食場所情報の登録を催促する旨の少なくとも一方を報知する画面を表示器に表示させて、前記報知を行うこと、
を特徴とする請求項１ないし３のいずれか１つに記載の販売データ処理装置。
【請求項５】
前記報知手段は、前記商品を飲食する場所の選択を受付ける選択画面を表示器に表示させること、
を特徴とする請求項１ないし４のいずれか１つに記載の販売データ処理装置。
【請求項６】
販売データ処理装置を制御するコンピュータを、
商品の商品情報および前記商品を飲食する場所を示す飲食場所情報の入力を受付ける入力受付手段と、
前記入力受付手段が受付けた前記商品情報と前記飲食場所情報とを登録する販売登録手段と、
前記飲食場所情報が登録されていない場合に、前記飲食場所情報が未登録である旨、および、前記飲食場所情報の登録を催促する旨の少なくとも一方を報知する報知手段と、
して機能させるためのプログラム。
【発明の詳細な説明】
【技術分野】
【０００１】
本発明の実施形態は、販売データ処理装置およびプログラムに関する。
【背景技術】
【０００２】
ファストフード等の店舗では、商品販売時に店員は、商品を店内で飲食する（イートイン）か、商品を店外に持ち出して飲食する（テイクアウト）かについて客に尋ね、客の回答に応じて商品を提供している。
【０００３】
従来、このような店舗において用いられるＰＯＳ（Point  Of  Sales）端末に、イートインまたはテイクアウトを選択するキーを設けて、客の回答に応じて店員がいずれか一方のキーを選択押下することにより、表示器にイートインかテイクアウトを表示する技術が開示されている。
【発明の概要】
【発明が解決しようとする課題】
【０００４】
本発明が解決しようとする課題は、イートインかテイクアウトかについての登録忘れを防止することができる販売データ処理装置を提供することである。
【課題を解決するための手段】
【０００５】
実施形態の販売データ処理装置は、入力受付手段と、販売登録手段と、報知手段と、を備える。入力受付手段は、商品の商品情報および前記商品を飲食する場所を示す飲食場所情報の入力を受付ける。販売登録手段は、前記入力受付手段が受付けた前記商品情報と前記飲食場所情報とを登録する。報知手段は、前記飲食場所情報が登録されていない場合に、前記飲食場所情報が未登録である旨、および、前記飲食場所情報の登録を催促する旨の少なくとも一方を報知する。
【図面の簡単な説明】
【０００６】
【図１】図１は、本実施形態にかかるＰＯＳ端末の構成を概略的に示す外観斜視図である。
【図２】図２は、ＰＯＳ端末の機能的構成を示すブロック図である。
【図３】図３は、アラート画面の一例を示す図である。
【図４】図４は、アラート画面のその他の例を示す図である。
【図５】図５は、ＰＯＳ端末が行う販売登録処理の手順を説明するフローチャートである。
【図６】図６は、選択画面の一例を示す図である。
【発明を実施するための形態】
【０００７】
本実施形態においては、スーパーマーケットや量販店等の店舗において使用されるＰＯＳ端末を販売データ処理装置として適用する場合について説明する。
【０００８】
図１は、本実施形態にかかるＰＯＳ端末１の構成を概略的に示す外観斜視図である。ＰＯＳ端末１は、現金等を収容するためのドロワ１２の上に載置されており、このドロワ１２の引出し１２ａの開閉を制御する。ＰＯＳ端末１の正面側には、登録、点検、精算、設定などの各種業務モードを選択するためのモードキー１４が設けられている。
【０００９】
また、ＰＯＳ端末１の正面に設けられたキーボード１３には、オペレータ（店員）が、例えば預かり金額などを置数するための置数キーや、１取引として販売登録が行われた商品の合計出力を指示する小計キーや、１取引の販売登録を終了してレシートの発行処理を行うための締めキーなど、各種操作入力を行うための操作キーが配置されている。
【００１０】
また、キーボード１３には、客が購入する商品がイートインの対象であることを選択するイートイン選択キーと、客が購入する商品がテイクアウトの対象であることを選択するテイクアウト選択キーとが設けられている。また、キーボード１３に近接する位置には、カードリーダ１１が設けられている。
【００１１】
また、ＰＯＳ端末１には、商品に付与されたバーコードを読取るためのスキャナ１９が接続されている。さらに、ＰＯＳ端末１には、正面側には店員用ディスプレイ１５が、背面側には客用ディスプレイ１６が取り付けられており、これらは販売登録された商品の品名、価格や、販売登録の終了が宣言された１取引の合計金額、釣銭額などを表示するもので、液晶カラーディスプレイ等が用いられる。
【００１２】
また、ＰＯＳ端末１は、レシート、ジャーナルやクーポン等を印字するプリンタ１７を内蔵しており、プリンタ１７によって印字されたレシート等はＰＯＳ端末１の正面側に形成されたレシート発行口１８から発行される。
【００１３】
図２は、ＰＯＳ端末１の機能的構成を示すブロック図である。ＰＯＳ端末１は、ＣＰＵ（Central  Processing  Unit）と、記憶手段として機能するＲＯＭ（Read  Only  Memory）およびＲＡＭ（Random  Access  Memory）等から構成されるコンピュータ構成の制御部３１を備えている。ＲＯＭは、ＣＰＵが実行する各種プログラムや各種データを記憶する。ＲＡＭは、ＣＰＵが各種プログラムを実行する際に一時的にデータやプログラムを記憶する。
【００１４】
制御部３１は、Ｉ／Ｏ機器制御部３４およびバス３２を介して、キーボード１３、店員用ディスプレイ１５、客用ディスプレイ１６、プリンタ１７、スキャナ１９、カードリーダ１１、ＨＤＤ４０等のＩ／Ｏ機器を制御し、ＰＯＳ端末１のシステム全体を制御するものである。また、制御部３１は、通信Ｉ／Ｆ３３を介してＬＡＮ（Local  Area  Network）で接続されたストアサーバ（不図示）と相互に通信を行うことが可能となっている。本実施形態のＰＯＳ端末１は、１台のＰＯＳ端末１が単独で商品登録および商品販売登録等を行っても良いし、店舗内に複数のＰＯＳ端末１が設置される場合には、これら複数のＰＯＳ端末１をストアサーバに接続して、商品登録および商品登録等の処理を一括して管理するように構成してもよい。
【００１５】
ＨＤＤ４０は、ＣＰＵが実行する各種プログラムや、商品の販売記録を示す販売データ、店員用ディスプレイ１５や客用ディスプレイ１６に表示する各種の画面表示データを記憶する。
【００１６】
制御部３１は、入力受付部３５と、販売登録部３６、エラー判定部３７と、表示制御部３８と、レシート発行部３９とを備えている。すなわち、本実施形態の販売登録装置で実行されるプログラムは、上述の各部（入力受付部３５、販売登録部３６、エラー判定部３７、表示制御部３８、レシート発行部３９）を含むモジュール構成となっており、実際のハードウェアとしてはＣＰＵ（プロセッサ）が上記ＲＯＭからプログラムを読み出して実行することにより上記各部が主記憶装置上にロードされ、入力受付部３５、販売登録部３６、エラー判定部３７、表示制御部３８、レシート発行部３９が主記憶装置上に生成されるようになっている。
【００１７】
入力受付部３５は、スキャナ１９が商品に付されたバーコードや二次元コード等のコードシンボルを読み取った場合に、当該コードシンボルに記憶された商品コード等の商品情報の入力を受付ける。また、入力受付部３５は、キーボード１３から商品に該当するキーが押下された場合、あるいはキーボード１３のテンキーから商品コードが入力された場合に、当該商品の商品コードの入力を受付ける。
【００１８】
また、入力受付部３５は、商品を飲食する場所を示す飲食場所情報の入力を受付ける。ここで、飲食場所情報とは、商品がイートインの対象であるか、あるいはテイクアウトの対象であるかを示す情報のことである。即ち、入力受付部３５は、キーボード１３のイートイン選択キーが押下された場合には、客が購入する商品はイートインの対象である旨の入力を受付ける。さらに、入力受付部３５は、キーボード１３のテイクアウト選択キーが押下された場合には、客が購入する商品はテイクアウトの対象である旨の入力を受付ける。
【００１９】
販売登録部３６は、入力受付部３５が受付けた商品情報をＨＤＤ４０に登録する。また、販売登録部３６は、入力受付部３５が受付けた飲食場所情報に従って、客が購入する商品がイートイン対象であるかテイクアウト対象であるかをＨＤＤ４０に登録する。尚、商品情報および飲食場所情報が登録される記憶手段はＨＤＤ４０に限定されるものではなく、ＲＡＭや、その他の記憶手段に登録（格納）される形態としてもよい。
【００２０】
また、販売登録部３６は、キーボード１３において締めキーが選択操作された場合に、全商品の購入金額を算出して店員用ディスプレイ１５および客用ディスプレイ１６の少なくとも一方に表示し、客に対してこの取引の決済を行うとともに、この取引で登録された商品が販売済み、および会計済みとなったことを登録する。
【００２１】
エラー判定部３７は、締めキーが選択操作された場合に、飲食場所情報が登録されているか否かを判定する。即ち、エラー判定部３７は、客が購入する商品がイートインの対象であるか、または、テイクアウトの対象であるかについて、ＨＤＤ４０に登録されているか否かを判定する。
【００２２】
尚、エラー判定部３７による判定のタイミングはその他のタイミングであってもよい。一例として、スキャナ１９がコードシンボルをスキャンした後に所定の時間が経過した場合等に、上述の判定を行うとしてもよい。
【００２３】
表示制御部３８は、エラー判定部３７が飲食場所情報は登録されていないと判定した場合に、飲食場所情報が未登録である旨、および飲食場所情報の登録を催促する旨の少なくとも一方を報知するアラート画面２（図３、図４参照）を店員用ディスプレイ１５に表示する。
【００２４】
ここで、図３は、アラート画面２（２ａ）の一例を示す図である。図３に示すように、アラート画面２には、「イートインかテイクアウトかを登録してください」などと飲食場所情報の登録を催促するメッセージが表示される。
【００２５】
また、図４は、アラート画面２のその他の例（アラート画面２ｂ）を示す図である。図４に示すように、アラート画面２ｂには、「イートインかテイクアウトかが選択されていません」などと飲食場所情報が未登録である旨を報知するメッセージを表示するとしてもよい。
【００２６】
レシート発行部３９は、飲食場所情報がＨＤＤ４０に登録されている場合に、ＨＤＤ４０に登録されているこの取引分の商品情報と、飲食場所情報とをプリンタ１７によってレシート用紙に印字し、印字後のレシートをレシート発行口１８から発行する。
【００２７】
このように、本実施形態によれば、飲食場所情報が登録されていない場合にはレシートが発行されないので、イートインかテイクアウトかについての登録忘れを防止できる。
【００２８】
次に、ＰＯＳ端末１が行う販売登録処理の手順について説明する。図５は、ＰＯＳ端末１が行う販売登録処理の手順を説明するフローチャートである。
【００２９】
ＰＯＳ端末１は、商品情報または飲食場所情報の入力を受付けたか否かを判定する（ステップＳ１）。即ち、ＰＯＳ端末１は、商品に付されたコードシンボルがスキャナ１９によりスキャンされた場合には、そのコードシンボルに記憶されている商品情報の入力を受付ける（ステップＳ１：Ｙｅｓ）。そして、受付けた商品情報をＨＤＤ４０に登録する（ステップＳ２）。
【００３０】
また、ＰＯＳ端末１は、キーボード１３のイートイン選択キーまたはテイクアウト選択キーが押下された場合には、押下されたキーに応じて飲食場所情報の入力を受付ける（ステップＳ１：Ｙｅｓ）。そして、受付けた飲食場所情報をＨＤＤ４０に登録する（ステップＳ２）。
【００３１】
そして、ＰＯＳ端末１は、キーボード１３において締めキーが押下されたか否かを判定する（ステップＳ３）。締めキーが押下されていない間（ステップＳ３：Ｎｏ）は、ステップＳ１に戻ってステップＳ１〜Ｓ３の処理を繰り返す。
【００３２】
一方、締めキーが押下された場合（ステップＳ３：Ｙｅｓ）には、飲食場所情報として、イートインまたはテイクアウトのいずれか一方がＨＤＤ４０に登録されているか否かを判定する（ステップＳ４）。飲食場所情報が登録されている場合（ステップＳ４：Ｙｅｓ）には、ステップＳ９に移行する。飲食場所情報が登録されていない場合（ステップＳ４：Ｎｏ）には、アラート画面２（図３、図４参照）を店員用ディスプレイ１５に表示する（ステップＳ５）。
【００３３】
そして、ＰＯＳ端末１は、アラート画面２の表示後、キーボード１３の操作キーによってイートインが選択されたか、あるいはテイクアウトが選択されたかを判定する（ステップＳ６）。ＰＯＳ端末１は、キーボード１３においてイートイン選択キーが押下された場合（ステップＳ６：Ｙｅｓ）には、この入力を飲食場所情報として受付けてＨＤＤ４０に登録する（ステップＳ７）。また、キーボード１３においてテイクアウト選択キーが押下された場合（ステップＳ６：Ｎｏ）には、この入力を飲食場所情報として受付けてＨＤＤ４０に登録する（ステップＳ８）。
【００３４】
ＰＯＳ端末１は、プリンタ１７によってこの取引分の商品情報と、飲食場所情報とをレシート用紙に印字し、印字後のレシートをレシート発行口１８から発行する（ステップＳ９）。
【００３５】
以上説明したとおり、本実施形態によれば、飲食場所情報が登録されていない場合に、飲食場所情報が未登録である旨、および、飲食場所情報の登録を催促する旨の少なくとも一方を報知するので、イートインかテイクアウトかについての登録忘れを防止することができる。
【００３６】
尚、上述では、店員用ディスプレイ１５にアラート画面２を表示して飲食場所情報の未登録を店員に報知したが、報知方法はこれに限定されるものではない。その他の例として、音声によって飲食場所情報の未登録を店員に報知するとしてもよい。
【００３７】
また、上述では、キーボード１３にイートイン選択キーおよびテイクアウト選択キーを設けて、これらキーを操作することにより飲食場所情報の入力を受付けるとしたが、入力の受付方法はこれに限定されるものではない。
【００３８】
その他の例として、図６に示すように、タッチパネルを配設した店員用ディスプレイ１５または客用ディスプレイ１６を用いて、この店員用ディスプレイ１５および客用ディスプレイ１６の少なくとも一方にイートインかテイクアウトを選択する選択画面２ｃ（図６参照）を表示させ、タッチパネルからの入力に基づいて飲食場所情報の入力を受付けるとしてもよい。
【００３９】
また、上述では、飲食場所情報がイートインかテイクアウトを示す情報である場合について説明したが、飲食場所情報はこれに限定されるものではない。その他の例として、客のテーブル番号や、屋内席、屋外席等の情報を飲食場所情報としてもよい。
【００４０】
なお、本実施形態のＰＯＳ端末１で実行されるプログラムは、ＲＯＭ等に予め組み込まれて提供される。本実施形態のＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４１】
さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００４２】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００４３】
１  ＰＯＳ端末（販売データ処理装置）
２（２ａ、２ｂ）  アラート画面
２ｃ  選択画面
３５  入力受付部
３６  販売登録部
３７  エラー判定部
３８  表示制御部
３９  レシート発行部
【先行技術文献】
【特許文献】
【００４４】
【特許文献１】特開平１１−３３９１２６号公報
【図１】
2012146092.tif 000003
【図２】
2012146092.tif 000004
【図３】
2012146092.tif 000005
【図４】
2012146092.tif 000006
【図５】
2012146092.tif 000007
【図６】
2012146092.tif 000008